(57)【要約】【課題】  軽量で持ち運びが容易な抱っこ紐であって、簡単な構成でありながら、乳幼児の背中を全て覆った状態で当該乳幼児の収容空間を立体的に形成するとともに、頭部の後方への回動を防止することができる抱っこ紐を提供することを課題とする。【解決手段】互い略直交するように結合した一定幅の２個の環状ベルトを有する。当該環状ベルトの結合部は略正方形状に形成された領域として形成され、当該正方形状の領域の外周縁部を縫い合わせることによって前記２個の環状ベルトを結合している。乳幼児の背面を支える布状体の上半部は乳幼児の後頭部を覆う大きさに形成されるとともに、上端部には前記環状ベルトに設けた係合手段と着脱可能に結合する係合具が設けられている。【選択図】図１
2012161438.tif 000002
【特許請求の範囲】
【請求項１】
乳幼児を収容し保持するための抱っこ紐であって、
互いに略直交するように結合した一定幅の２個の環状ベルトを有し、
前記環状ベルトの結合部は略正方形状の領域として形成されるとともに、当該正方形状の領域の外周縁部における縫い合わせによって前記２個の環状ベルトを結合したものであり、
前記２個の環状ベルトには、それぞれ当該環状ベルトの長さを調節するための調節具が設けられ、
前記２個の環状ベルトの交差部を起点とする当該環状ベルトの内側縁によって囲まれた領域には、下半部のみを当該内側縁に取り付け上半部を当該内側縁に取り付けない自由端として形成した布状体が取り付けられており、
当該布状体は、収容した乳幼児の背面を支えるものであって、上半部は乳幼児の後頭部を覆う大きさに形成されるとともに上端部には前記環状ベルトに設けた係合手段と着脱可能に結合する係合具が設けられていることを特徴とする抱っこ紐。
【請求項２】
前記布状体の下半部は、環状ベルトに取り付けられる側縁部が環状ベルト側に向かって突出するように湾曲していることを特徴とする請求項１記載の抱っこ紐。
【請求項３】
前記２個の環状ベルトの前記交差部を中心として分岐した下方側の環状ベルトには、装着者の腰部分によって保持される腰ベルトが取り付けられていることを特徴とする請求項１または２記載の抱っこ紐。
【請求項４】
前記腰ベルトは、当該腰ベルトの長さを調節する調節機構を有していること特徴とする請求項３記載の抱っこ紐。
【請求項５】
環状ベルトに取り付けられた前記布状体の下半部の一方は、スライドファスナーを介して取り付けられていることを特徴とする請求項１乃至４の何れか一項記載の抱っこ紐。
【発明の詳細な説明】
【技術分野】
【０００１】
本発明は、体の前面部において乳幼児を抱きかかえるための抱っこ紐に関するものである。
【背景技術】
【０００２】
従来より、背あてと帯の連結部分の上部両端を乳幼児の脇に合わせ、その脇から通った２本の帯を、抱く側である人間の両肩へと通し、腰部で半回転させた帯と結束させた頭あてを有する子守帯が知られている（特許文献１）。
【特許文献１】実用新案登録第３１３７６５２号公報
【０００３】
上記特許文献１記載の子守帯は「頭あて」を有しているが、先端部分を固定することができない構造となっている。そのため、乳幼児が後方へのけぞった場合には頭部が後方へ回動してしまう。また、「頭あて」が回動しないように剛性を高めると、乳幼児の頭部を必要以上に押しつけたり、乳幼児の頭部と「頭あて」との間に隙間が空きすぎる可能性もある。
【発明の開示】
【発明が解決しようとする課題】
【０００４】
本発明は、上記課題に鑑み発明されたものであって、軽量で持ち運びが容易な抱っこ紐であって、簡単な構成でありながら、乳幼児の背中を全て覆った状態で当該乳幼児の収容空間を立体的に形成するとともに、頭部の後方への回動を防止することができる抱っこ紐を提供することを課題とする。さらに、収容した乳幼児の荷重を肩以外に分散せることによって、使用者の負担を軽減することができる抱っこ紐の構造を提供することを課題とする。
【課題を解決するための手段】
【０００５】
上記課題を解決するために、本願請求項１記載の発明は以下の構成を有する。すなわち、
乳幼児を保持するための抱っこ紐であって、
互いに略直交するように結合した一定幅の２個の環状ベルトを有し、
前記環状ベルトの結合部は略正方形状の領域として形成されるとともに、当該正方形状の領域の外周縁部における縫い合わせによって前記２個の環状ベルトと結合したものであり、
前記２個の環状ベルトには、それぞれ当該環状ベルトの長さを調節するための調節具が設けられ、
前記２個の環状ベルトの交差部を起点とする当該環状ベルトの内側縁によって囲まれた領域には、下半部のみを当該内側縁に取り付け上半部を当該内側縁に取り付けない自由端として形成した布状体が取り付けられており、
当該布状体は収容した乳幼児の背面を支えるものであって、上半部は乳幼児の後頭部を覆う大きさに形成されるとともに、上端部には前記環状ベルトに設けた係合手段と着脱可能に結合する係合具が設けられていることを特徴とする抱っこ紐。
【０００６】
また、本願請求項２記載の発明は以下の構成を有する。すなわち、
前記布状体の下半部は、環状ベルトに取り付けられる側縁部が環状ベルト側に向かって突出するように湾曲していることを特徴とする請求項１記載の抱っこ紐。
【０００７】
また、本願請求項３記載の発明は以下の構成を有する。すなわち、
前記２個の環状ベルトの前記交差部を中心として分岐した下方側の環状ベルトには、装着者の腰部分によって保持される腰ベルトが取り付けられていることを特徴とする請求項１または２記載の抱っこ紐。  
【０００８】
また、本願請求項４記載の発明は以下の構成を有する。すなわち、
前記腰ベルトは、当該腰ベルトの長さを調節する調節機構を有していること特徴とする請求項３記載の抱っこ紐。
【０００９】
また、本願請求項５記載の発明は以下の構成を有する。すなわち、
環状ベルトに取り付けられた前記布状体の下半部の一方は、スライドファスナーを介して取り付けられていることを特徴とする請求項１乃至４の何れか一項記載の抱っこ紐。
【発明の効果】
【００１０】
本発明に係る抱っこ紐は、収容した乳幼児の背面を支える背当部材としての布状体を有しており、当該布状体の上半部は頭部を覆うことができる部位にもなっている。また、当該上半部は、抱っこ紐を構成する肩に掛けるベルトに係合具を介して着脱可能に取り付けることができるようになっており、係合具の取り付けベルトは長さが調節できるようになっている。
これらの構成により、本発明に係る抱っこ紐は収容した乳幼児の頭部の後方への回動を防止するとともに、係合具の取り付けベルトの長さの調節によって頭部を押さえつけすぎないように調節することができるようになっている。また、布状体の上半部は、頭部を保持するのみならず、雨や風等を防ぐフードとしても使用できるという効果を有している。
【発明を実施するための最良の形態】
【００１１】
以下、本発明を実施するための最良の形態について説明する。
図１において、１は本発明に係る抱っこ紐を表している。当該抱っこ紐１は、主な構成として２本のベルト２、３と、背あて布４によって構成されている。２本のベルト２、３は、ともに約１０ｃｍ程度の横幅を有する帯状体として形成されたものであり、長さを調節するための調節具を介して環状に形成されている。
【００１２】
ベルト２（３）は、図２に示すように２枚の布帯パーツ２ａ、２ｂを重ね合わせて側縁を互いに縫合することにより形成されている。図２（ａ）は縫合前の布帯パーツ２ａ、２ｂ、図２（ｂ）は縫合したベルト２（布帯パーツ２ａ、２ｂ）を部分的に表した斜視図である。
本実施の形態では、布帯パーツ２ａ、２ｂの最適な素材として木綿製の織り布が用いられている。当該木綿製の織り布を帯状に裁断して側縁を内側に折り曲げて当該部分を２重に構成し、当該側縁の折り曲げ部同士を縫い糸５によって縫合することで１本の帯状体（ベルト）が形成される。このように構成された帯状体は、側縁の折り曲げ部と布の重ね合わせによる効果によって、柔軟性を有しつつも撚れや捻れなどに強い剛性を発揮することができるようになっている。
なお、ベルト３も上記と同様の構成を有し、柔軟性を有しつつも撚れや捻れなどに強い剛性を発揮することができるようになっている。
【００１３】
前記のように形成した２本のベルト２、３は、図１に示すように結合部６において、直交するように交差し結合している。本実施の形態ではベルト２、３の幅は約１０ｃｍであるので、当該結合部は、一辺が１０ｃｍの正方形状に形成されている。そして、当該正方形状の領域の周囲が縫い糸７によって縫製されている。
すなわち、交差部において２本のベルト２、３を部分的に小さく結合するのではなく、交差部の最も外側を縫合している。このため、結合部６において、ベルト２、３がよじれて交差角度が変わったり、結合部６の形状がベルト２、３の張り具合によって変形しにくくなっている。
【００１４】
２本のベルト２、３が交差した結合部６は、抱っこ紐として使用する際に乳幼児の臀部付近を支える部位である。当該結合部６の形状が不安定であると、ベルト２、３の配置が定まらず使用者にとっては装着しにくいものであり、乳幼児にとっても体が接する部分の形状が安定せず不快な着座状態となる。
これに対して、結合部６の形状が安定していると、当該結合部６を中心として２本のベルト２、３の方向や配置が定まり、装着しやすく、かつ装着後も使用者の体に対して適正な形状をなす。また、乳幼児を載置、収容する部位の形状も安定するので乳幼児にとっても快適な着座状態を提供できるものである。
【００１５】
前記結合部６の上方であって、当該結合部６を頂点とした前記２本のベルト２、３によって囲まれる三角形の領域には背あて布４が取り付けられている。
背あて布４は、図３に示す形状を成しており、その下方部８が前記２本のベルト２、３によって囲まれる三角形の領域に取り付けられるようになっている。下方部８の形状は、ベルト２、３の交点部と接する頂点９を起点とする２辺１０、１１によって形成された略三角形状を成している。また、当該２辺１０、１１は直線ではなく突出した湾曲形状を成すように形成されており、当該湾曲形状を成した辺１０がベルト２の直線状の側縁に縫着され、辺１１がスライドファスナー１２を介してベルト３の直線状の側縁に縫着されている。
【００１６】
ベルト２、３に取り付けられる辺１０、１１よりも上方の部分が背あて布４の上方部１５となっている。上方部１５は、下方部８の辺１０、１１を、ほぼ同様の方向に向かって延長した側縁部１６、１７を有するとともに、直線若しくは上方に向かって湾曲させたような形状を有する上辺１８が形成されている。
側縁部１６、１７の各端部には、先端に雄雌一対で着脱可能な係合部材を形成するバックルの雄部材（係合具）１９、２０が取付ベルトを介して取り付けられている。係合具１９、２０は、ベルトの長さを調節することが出来るようになっている。当該係合具１９、２０は、装着者の肩付近に位置するベルト２、３の表面に取り付けたバックルの雌部材（係合手段）２１、２２と着脱可能に結合できるようになっている。
【００１７】
前記背あて布４の下方部８は、乳幼児の臀部を支える前記結合部６に隣接して設けられており、ベルト２、３とともに乳幼児を収容する収容空間を形成し、乳幼児の臀部から両腕の付け根（脇下）に亘る背中部分を支えるようになっている。
前述したように、背あて布４は湾曲した２辺１０、１１をベルト２、３に取り付けることによって、その内部の収容空間を乳幼児の体型に沿って膨らませるようになっている。当該膨らみは、湾曲形状を成した２辺１０、１１の形状によって顕著に形成され、ベルト２、３によって生じる着用者側への乳幼児の押しつけ力を緩和し、着用者および乳幼児に与える圧迫感を軽減するようになっている。
また、前述したように、背あて布４の一方の辺１１は、開閉可能なスライドファスナー１２を介してベルト３に結合されているので、当該スライドファスナー１２によって乳幼児の収容部を開閉することができるようになっている。
【００１８】
ベルト２、３の内縁に固定されていない上方部１５は、主として収容した乳幼児の後頭部全体を覆うことができる程度の大きさを有している。そして、上方部１５の係合具１９、２０をベルト２、３に設けた係合手段２１、２２に結合することによって、乳幼児の頭部全体の後方への回動を防止することができるようになっている。
また、上方部１５は頭部の回動防止だけではなく、風よけや降雨時の雨よけとして使用することも可能である。
【００１９】
また、図４に記載した背面図に示すように、ベルト２、３にはそれぞれ長さを調節するための調節具が設けられている。当該調節具は、ベルトの端部に固定される固定パーツ１３と、ベルト上を移動する移動パーツ１４によって形成されており、固定パーツ１３と移動パーツ１４間の距離を任意に調節することにより、ベルトの長さを調節することができるようになっているものである。
【００２０】
また、結合部６より下方のベルト２、３には、巻くように腰に保持させることができる腰ベルト２３、２４が取り付けられている。腰ベルト２３、２４は雄雌一対の係合部材からなるバックル２３ａ、２４ａによって着脱可能に連結できるようになっており、さらにベルト部分の長さを調節することができる調節機構を有している。当該調節機構はバックル２３ａまたは２４ａの一方若しくは双方のベルト取付部に設けられているものであるが、当該バックルに設けた調節機構に代えて別途長さの調整機能を有する調節具を設けても差し支えがない。
また、腰ベルト２３、２４はベルト２、３にそれぞれ分離して取り付けられているものであるが、ベルト２、３は結合部６によって結合されているのでベルト２、３と一体となって腰を周回する。したがって、ベルト２、３の使用者の両肩による支持のみならず、腰を周回する腰ベルト２３、２４も結合部６を支持するようになっている。このように、本発明に係る抱っこ紐１は使用者の人体に対する荷重の集中を防ぐことが出来るという効果を有している。
【００２１】
図５は、抱っこ紐１を装着した着用者Ｘと抱っこ紐１に収容された乳幼児Ｙを簡略的に表したものであり、図５（ａ）は正面図、図５（ｂ）は側面図を表している。
本実施の形態に係る抱っこ紐１は、ベルト２、３を肩にかけ、背あて布４および結合部６が着用者Ｘの胸部から腹部に亘る部位の前面に位置するように装着する。そして、スライドファスナー１２によって背あて布４を開き、乳幼児Ｙをベルト２、３、背あて布４および結合部６によって包囲される収容空間に収容し、スライドファスナー１２を閉じることで、抱っこ紐として乳幼児Ｙを収容する。
そして、乳幼児Ｙの臀部の高さ（結合部６の高さ）が着用者Ｘの臍の高さとほぼ同じ程度になるように高さを調節する。当該高さの調節は、固定パーツ１３と移動パーツ１４によって構成される調節具によって行われる。このように調節すると、着用者Ｘの背筋が前屈みになりにくく、両肩に係る荷重も均等になって着用者Ｘに対する負担が少なくなるようになっている。
また、必要に応じて背あて布４の上方部１５によって乳幼児の頭部を覆い、上方部１５の端部に設けた係合具１９、２０をベルト２、３の表面に取り付けた係合手段２１、２２に結合するようになっている。また、腰ベルト２３、２４を適宜の長さに調節して腰に周回させて保持するようになっている。
【産業上の利用可能性】
【００２２】
本発明は、乳幼児を抱きかかえる際に使用する抱っこ紐に利用可能である。
【図面の簡単な説明】
【００２３】
【図１】本発明に係る抱っこ紐の正面図である。
【図２】本発明に係る抱っこ紐に用いるベルトの説明図である。
【図３】本発明に係る抱っこ紐に用いる背あて布の説明図である。
【図４】本発明に係る抱っこ紐の背面図である。
【図５】本発明に係る抱っこ紐の使用状態を表す説明図である。
【符号の説明】
【００２４】
１  抱っこ紐
２、３  ベルト
４  背あて布
５  縫い糸
６  結合部
７  縫い糸
４  背あて布
８  下方部
９  頂点
１０、１１  辺
１２  スライドファスナー
１３  固定パーツ
１４  移動パーツ
１５  上方部
１６、１７  側縁部
１８  上辺
１９、２０  雄部材（係合具）
２１、２２  雌部材（係合手段）
２３、２４  腰ベルト
２３ａ、２４ａ  バックル
【図１】
2012161438.tif 000003
【図２】
2012161438.tif 000004
【図３】
2012161438.tif 000005
【図４】
2012161438.tif 000006
【図５】
2012161438.tif 000007